(57)【要約】  高所、例えば高層ビルなどから制御しながら身体を降下をさせる携帯可能な降下装置（１）において、前記装置が実質的な平面ベース（３）と縦型支持エンドブラケット（４、５）を有する支持フレーム（２）と、前記ブラケット間に延在する固定シャフト（６）と、前記シャフトに同軸に装填され、フレキシブルケーブル（１７）の一端をとりつけるアタッチメント手段を有する回転可能なドラム（７）であって、その一端が手動あるいは遠隔操作可能なキャリパ作動式ディスクブレーキアッセンブリに、他端が遠心ブレーキアッセンブリ（１２）を駆動するピニオン（１９）に噛合する歯を設けた環状部材（１３）を具えるギア駆動式降下速度コントローラに固定されたドラム（７）と、一端が前記ドラムに取り付けられ、他端（１６）がケーブルを固定位置（１８）に取り付けるアンカ手段を有する前記フレキシブルケーブル（１７）と、前記ディスクブレーキアッセンブリの近傍にて前記支持フレーム（２）に取り付けられ、前記ディスクブレーキアッセンブリの制動効果を手動あるいは遠隔で操作する手段（１１）が設けられている第１の操作手段（１５）と、前記速度コントローラの近傍にて前記支持フレーム（２）に取り付けられている第２の操作手段（１４）とを具え、使用する際に前記装置が前記二つの操作手段（１４、１５）を用いて前記降下する身体に対向する位置にある前記平面ベース（３）に保持されうるように構成されている。
2005517512.tif 000002
【特許請求の範囲】
【請求項１】
身体を高所から制御して降下させる携帯可能な降下装置（１）において、前記装置が実質的な平面ベース（３）と縦型支持エンドブラケット（４、５）を有する支持フレーム（２）と、前記ブラケット間に延在する固定シャフト（６）と、前記シャフトに同軸に装填され、フレキシブルケーブル（１７）の一端をとりつけるアタッチメント手段を有する回転可能なドラム（７）であって、その一端が手動あるいは遠隔操作可能なキャリパ作動式ディスクブレーキアッセンブリに、他端が遠心ブレーキアッセンブリ（１２）を駆動するピニオン（１９）に噛合する歯を設けた環状部材（１３）を具えるギア駆動式降下速度コントローラに固定されたドラム（７）と、一端が前記ドラムに取り付けられ、他端（１６）がケーブルを固定位置（１８）に取り付けるアンカ手段を有する前記フレキシブルケーブル（１７）と、前記ディスクブレーキアッセンブリの近傍にて前記支持フレーム（２）に取り付けられ、前記ディスクブレーキアッセンブリの制動効果を手動あるいは遠隔で操作する手段（１１）が設けられている第１の操作手段（１５）と、前記速度コントローラの近傍にて前記支持フレーム（２）に取り付けられている第２の操作手段（１４）とを具え、使用する際に前記装置が前記二つの操作手段（１４、１５）を用いて前記降下する身体に対向する位置にある前記平面ベース（３）に保持されうるように構成されていることを特徴とする降下装置。
【請求項２】
請求項１に記載の降下装置において、前記支持フレーム（２）に、ハーネス用のアタッチメントポイントが複数設けられていることを特徴とする降下装置。
【請求項３】
請求項１又は２に記載の降下装置において、前記ケーブルが高伸長性の亜鉛メッキ鋼又はステンレス鋼で形成されており、直径が２．５から４ミリの範囲にあることを特徴とする降下装置。
【発明の詳細な説明】
【技術分野】
【０００１】
本発明は、携帯可能な降下装置に関する。この携帯可能な降下装置は、例えば、高層階、浮揚しているヘリコプタ、断崖地形、又はケーブルカーなどの高所より、制御された降下を効果的に実行するのに用いられる。
【０００２】
高層建築物の数が世界中で増加したため、建物を離れる通常の手段が使用不可能な火事やその他の緊急時に、高層ビルの上層階に残された人の救出に使用できる手段を熟考する必要が生じた。２００１年９月１１日のニューヨークの世界貿易センタへのテロリストの攻撃で起こった悲劇をきっかけに、通常の出口又は脱出手段が使用できないときに、個人的に高層階より脱出できる携帯用降下装置の考案する必要が生じた。このような降下装置は、十分にコンパクトで、必要な時まで簡便に収納でき、十分に軽量で、緊急時に簡単に使用できなくてはならい。
【０００３】
今までに、人を高層ビルから下ろす緊急降下装置がいろいろ提案されてきたが、これらは、一般的に装置から吊り下ろされたストラップ、ベルト、又はスリングを用いる必要があり、特に風が強い状況では降下を制御するのが困難であるという欠点があった。
【０００４】
従って本発明の目的は、高層ビルより脱出するなどの、高所より制御された降下を行う携帯可能な降下装置を提供することである。本発明の携帯式降下装置は、装置から垂れたストラップ、スリングなどの使用を避けるものであり、従って、従来の降下装置の欠点を回避し、簡単に使用し、収納するのに十分にコンパクトである。
【０００５】
本発明によれば、高所から身体を制御して降下させるのに用いる携帯可能な降下装置において、前記装置が実質的な平面ベースと縦型支持エンドブラケットを有する支持フレームと、前記ブラケット間に延在する固定シャフトと、前記シャフトに同軸に装填され、フレキシブルケーブルの一端をとりつけるアタッチメント手段を有する回転可能なドラムであって、その一端が手動あるいは遠隔操作可能なキャリパ作動式ディスクブレーキアッセンブリに、他端が遠心ブレーキアッセンブリを駆動するピニオンに噛合する歯を設けた環状部材を具えるギア駆動式降下速度コントローラに固定されたドラムと、一端が前記ドラムにとりつけられ、他端がケーブルを固定位置に取り付けるアンカを有する前記フレキシブルケーブルと、前記ディスクブレーキアッセンブリの近傍にて前記支持フレームに取り付けられ、前記ディスクブレーキアッセンブリの制動効果を手動あるいは遠隔で操作する手段が設けられている第１の操作手段と、前記速度コントローラの近傍にて前記支持フレームに取り付けられている第２の操作手段とを具え、使用する際に前記装置が前記二つの操作手段を用いて前記降下する身体に対向する位置にある前記平面ベースに保持されうるように構成されている。
【０００６】
前記降下速度制御器においては、歯を有する環状部材が遠心力ブレーキアッセンブリを制御するピニオンに順に降下レートを制御する遠心力ブレーキの回転速度を制御するように、かみ合わさっている。
【０００７】
降下装置を無生物ではなく人が使用する場合、装置を使用する人が着用するハーネスがあるので、人の胸部に対する位置に装置を維持するようアシストするのに有利である。この目的のために、支持フレームにはハーネスに対する多数のアタッチメントポイントが設けられている。
【０００８】
装置のドラムに取り付けたケーブルは、例えば、高伸長性の亜鉛メッキ鋼又はステンレス鋼などのあらゆる適切な素材で作ることができる。ケーブルは、降下する位置の高さに適切な長さと直径を有する。この直径は、例えば２．５から４ミリの範囲でもよい。
【０００９】
使用する必要があるときに、装置を充分に携帯可能にするために、装置の幾つかの又は全ての構成部品を、例えばアルミニウム合金などの適切な軽量素材で形成するようにしてもよい。
【図面の簡単な説明】
【００１０】
本発明をより理解し、どのように本発明を実施するかを示すために、添付の図面を参照する。
【図１】図１は、使用中の降下装置の側面図である。
【図２】図２は、降下装置の左からみた斜視図である。
【図３】図３は、降下装置の右からみた斜視図である。
【図４】図４は、装置の左側面を拡大した図である。
【図５】図５は、ハーネスと共に使用する降下装置の斜視図である。
【００１１】
図を参照すると、個人降下装置１は、平面ベース３を有する支持フレーム２を有する。ベース３の各端部は、垂直支持ブラケット４、５をそれぞれ有している。固定シャフト６は、エンドブラケット４、５の間に延在しており、回転可能なドラム７は、シャフト６に同軸に装填されている。フレーム２には、ドラム７に固定可能なケーブル１７のセンタリング装置の出口として作用する円筒状の開口８が形成されている。ドラム７の右側端部にはディスクブレーキアッセンブリが固定されている。ディスクブレーキアッセンブリは、ディスク９と、手動でコントロール可能な一対の対向するブレーキパット１０を具える。ブレーキパット１０は、ブレーキレバー１１で操作される。
【００１２】
ドラム７の左側端部には遠心力ブレーキ１２が位置する。遠心力ブレーキは、ピニオン１９を介して内側に歯を有するリングギア１３に連結している。このギア比は所望の制御された降下スピードになるよう設計されている。装置１には、図１及び図５に示すように装置の使用時に降下している人がつかまることができる二つのハンドグリップ１４，１５が設けられている。
【００１３】
図１と図５から明らかなように、使用中の装置は、ケーブル１７の自由端１６をビルのサポート１８にしっかりと固定した後、二つのグリップ１４、１５を使用して降下する人の胸に対向して保持される。ハーネス２０は、降下中に装置が確実に正しい位置を保持するように着用する。
【図１】
2005517512.tif 000003
【図２】
2005517512.tif 000004
【図３】
2005517512.tif 000005
【図４】
2005517512.tif 000006
【図５】
2005517512.tif 000007
【国際調査報告】
2005517512.tif 000008
2005517512.tif 000009